(57)【要約】【課題】着用者や動物の世話をする使用者に、吸収性物品の交換という行為に対するネガティブな印象を抱かせにくくする。【解決手段】展開状態において、縦方向と左右方向と厚さ方向とを有し、縦方向の一方側に設けられた腹側胴回り部（１Ａ）と、他方側に設けられた背側胴回り部（１Ｃ）と、腹側胴回り部（１Ａ）と背側胴回り部（１Ｃ）との間に設けられた股下部（１Ｂ）と、を有し、左右方向の中央部に設けられた吸収体（２）を備えた吸収性物品（１）であって、使用者に対してポジティブな感情を引き起こす感情表示、着用者若しくは動物に対する肌の触れ合いを使用者に促す触れ合い表示、又は、着用者若しくは動物が排尿したという事実のみを伝える文字列による排尿表示 の少なくとも１つの表示（Ｍ１）を有し、吸収性物品（１）を包装材から取り出した状態より、吸収性物品（１）を交換するときの方が、少なくとも１つの表示（Ｍ１）を視認しやすいことを特徴とする。【選択図】図４
2019141568.tif 000002
【特許請求の範囲】
【請求項１】
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、を有し、
前記左右方向の中央部に設けられた吸収体を備えた吸収性物品であって、
使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、
前記吸収性物品を包装材から取り出した状態より、前記吸収性物品を交換するときの方が、前記少なくとも１つの表示を視認しやすいことを特徴とする吸収性物品。
【請求項２】
請求項１に記載の吸収性物品であって、
前記着用者は、感情を言葉で表現できない者であることを特徴とする吸収性物品。
【請求項３】
請求項１又は２に記載の吸収性物品であって、
前記感情表示及び前記触れ合い表示 は、文字列であることを特徴とする吸収性物品。
【請求項４】
請求項３に記載の吸収性物品であって、
前記感情表示は、感謝の気持ち を示していることを特徴とする吸収性物品。
【請求項５】
請求項４に記載の吸収性物品であって、
前記感情表示は、ありがとうという文字を含むことを特徴とする吸収性物品。
【請求項６】
請求項１から５のいずれか１項に記載の吸収性物品であって、
前記背側胴回り部の前記左右方向の側端部にそれぞれファスニングテープが設けられており、
前記少なくとも１つの表示は、前記腹側胴回り部に設けられていることを特徴とする吸収性物品。
【請求項７】
請求項６に記載の吸収性物品であって、
前記ファスニングテープの係止部を、前記腹側胴回り部に係止することによって、前記腹側胴回り部と前記背側胴回り部とが連結されて、胴回り開口部と、一対の脚回りが形成された着用状態において、
前記少なくとも１つの表示は、前記ファスニングテープより下側に設けられていることを特徴とする吸収性物品。
【請求項８】
請求項１から７のいずれか１項に記載の吸収性物品であって、
水分と接触すると色が変化するインジケーター部を有し、
前記少なくとも１つの表示は、前記インジケーター部の一部であることを特徴とする吸収性物品。
【請求項９】
請求項１から７のいずれか１項に記載の吸収性物品であって、
水分と接触すると色が変化するインジケーター部を有し、
前記少なくとも１つの表示は、前記インジケーター部で囲まれた部分に設けられていることを特徴とする吸収性物品。
【請求項１０】
請求項８又は９に記載の吸収性物品であって、
非肌側から視認可能な図柄を有し、
前記インジケーター部と前記図柄が、前記厚さ方向において重ならないことを特徴とする吸収性物品。
【請求項１１】
請求項９から１０のいずれか１項に記載の吸収性物品であって、
前記少なくとも１つの表示は、前記左右方向に沿って並んでいることを特徴とする吸収性物品。
【請求項１２】
請求項１１に記載の吸収性物品であって、
前記インジケーター部は、直線部を備え、
前記直線部は、前記股下部から前記腹側胴回り部に向かって前記縦方向に沿っており、
前記少なくとも１つの表示の前記左右方向の長さは、前記直線部の前記左右方向の長さより長いことを特徴とする吸収性物品。
【請求項１３】
請求項１から５のいずれか１項に記載の吸収性物品であって、
前記背側胴回り部の前記左右方向の側端部にそれぞれファスニングテープが設けられており、
前記少なくとも１つの表示が、前記ファスニングテープに設けられており、
前記包装材から取り出した状態において、前記少なくとも１つの表示が視認不能に設けられていることを特徴とする吸収性物品。
【請求項１４】
請求項１３に記載の吸収性物品であって、
一対の前記ファスニングテープは、それぞれ異なる図柄又は文字を備えた前記少なくとも１つの表示を有していることを特徴とする吸収性物品。
【請求項１５】
請求項１から５のいずれか１項に記載の吸収性物品であって、
前記背側胴回り部の前記左右方向の側端部にそれぞれファスニングテープが設けられており、
前記腹側胴回り部には、前記感情表示、前記触れ合い表示、又は前記排尿表示から選択された第１表示が設けられており、
前記ファスニングテープには、前記感情表示、前記触れ合い表示、又は前記排尿表示のうち前記第１表示を除いて選択された第２表示が設けられていることを特徴とする吸収性物品。
【請求項１６】
第１吸収性物品及び第２吸収性物品を有する吸収性物品群であって、
前記第１吸収性物品及び前記第２吸収性物品は、請求項１から１５のいずれか１項に記載の吸収性物品であり、
前記第１吸収性物品は、生後０〜２ヵ月の乳児が着用可能な大きさであり、
前記第２吸収性物品は、生後３か月〜６ヶ月の乳児が着用可能な大きさであり、
前記第１吸収性物品の前記少なくとも１つの表示は、前記触れ合い表示を含まず、
前記第２吸収性物品の前記少なくとも１つの表示は、前記触れ合い表示を含むことを特徴とする吸収性物品群。
【請求項１７】
第１吸収性物品及び第２吸収性物品を有する吸収性物品群であって、
前記第１吸収性物品及び前記第２吸収性物品は、請求項１から１４のいずれか１項に記載の吸収性物品であり、
前記第１吸収性物品は、生後０〜２ヵ月の乳児が着用可能な大きさであり、
前記第２吸収性物品は、生後３か月〜６ヶ月の乳児が着用可能な大きさであり、
前記第１吸収性物品及び第２吸収性物品は、それぞれ前記背側胴回り部の前記左右方向の側端部にそれぞれファスニングテープを有し、
前記第１吸収性物品は、前記腹側胴回り部に前記排尿表示を備え、前記ファスニングテープに前記感情表示を備え、
前記第２吸収性物品は、前記腹側胴回り部に前記排尿表示及び前記感情表示を備え、前記ファスニングテープに少なくとも前記触れ合い表示を備えることを特徴とする吸収性物品群。
【発明の詳細な説明】
【技術分野】
【０００１】
本発明は、吸収性物品に関する。
【背景技術】
【０００２】
乳幼児の育児や成人の介護のみならず、ペットの飼育においても、液体を吸収する吸収体を有する使い捨ておむつが用いられている。特許文献１には、吸収性物品１が水分と接触すると視覚的に変化する塗膜２を備え、吸収性物品１を交換する者は、タイミングを誤ることなく交換する方法が記載されている。
【先行技術文献】
【特許文献】
【０００３】
【特許文献１】特開２００６−３４１０２０号公報
【発明の概要】
【発明が解決しようとする課題】
【０００４】
しかしながら、おむつ交換は、保護者や介護者にとって、憂鬱であったり、嫌悪感を抱いたりすることがあり、特許文献１のように「ママおむつ替えて」の文字を備えた吸収性物品１を視認すると、吸収性物品１の交換を強制されているように感じてしまい、吸収性物品１の交換に対してさらにネガティブな感情を抱く恐れがあった。
【０００５】
本発明は、上記のような問題に鑑みてなされたものであって、その目的とするところは、着用者や動物の世話をする使用者に、吸収性物品の交換という行為に対するネガティブな印象を抱かせにくくすることにある。
【課題を解決するための手段】
【０００６】
上記目的を達成するための主たる発明は、展開状態において、互いに直交する縦方向と左右方向と厚さ方向とを有し、前記縦方向の一方側に設けられた腹側胴回り部と、前記縦方向の他方側に設けられた背側胴回り部と、前記腹側胴回り部と前記背側胴回り部との間に設けられた股下部と、を有し、前記左右方向の中央部に設けられた吸収体を備えた吸収性物品であって、使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、前記吸収性物品を包装材から取り出した状態より、前記吸収性物品を交換するときの方が、前記少なくとも１つの表示を視認しやすいことを特徴とする吸収性物品である。
本発明の他の特徴については、本明細書及び添付図面の記載により明らかにする。
【発明の効果】
【０００７】
本発明によれば、着用者や動物の世話をする使用者に、吸収性物品の交換という行為に対するネガティブな印象を抱かせにくくすることができる 。
【図面の簡単な説明】
【０００８】
【図１】図１は、おむつ１の展開かつ伸長させた状態の肌側平面図である。
【図２】図２は、おむつ１の展開かつ伸長させた状態の非肌側平面図である。
【図３】図３は、包装材から取り出した状態のおむつ１を腹側から見た図である。
【図４】図４Ａは、着用者が新しいおむつ１を着用した直後の状態について説明する図である。図４Ｂは、着用者が使用後のおむつ１を着用した状態について説明する図である。
【図５】図５は、感情表示、触れ合い表示及び排尿表示の例について説明する図である。
【発明を実施するための形態】
【０００９】
本明細書及び添付図面の記載により、少なくとも以下の事項が明らかとなる。
展開状態において、互いに直交する縦方向と左右方向と厚さ方向とを有し、前記縦方向の一方側に設けられた腹側胴回り部と、前記縦方向の他方側に設けられた背側胴回り部と、前記腹側胴回り部と前記背側胴回り部との間に設けられた股下部と、を有し、前記左右方向の中央部に設けられた吸収体を備えた吸収性物品であって、使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、前記吸収性物品を包装材から取り出した状態より、前記吸収性物品を交換するときの方が、前記少なくとも１つの表示を視認しやすいことを特徴とする吸収性物品である。
【００１０】
このような展開型吸収性物品によれば、着用者や動物の世話をする使用者に、吸収性物品の交換という行為に対するネガティブな印象を抱かせにくくすることができる 。
【００１１】
かかる吸収性物品であって、前記着用者は、感情を言葉で表現できない者であることが望ましい。
【００１２】
このような吸収性物品によれば、感情を言葉で表現できない着用者が使用者に対してネガティブな感情を抱かせてしまう場合があるところ、感情表示、触れ合い表示、又は、排尿表示の少なくとも１つを使用者が見ると、おむつの交換という行為に対するネガティブな印象を抱かせにくくすることができる。
【００１３】
かかる吸収性物品であって、前記感情表示及び前記触れ合い表示 は、文字列であることが望ましい。
【００１４】
このような吸収性物品によれば、「文字」として感情表示及び触れ合い表示を読んだ使用者は、前頭前野が活性化されて、感情をコントロールしやすくなり、使用者におむつの交換という行為に対するネガティブな印象を抱かせにくくすることができる 。
【００１５】
かかる吸収性物品であって、前記感情表示は、感謝の気持ち を示していることが望ましい。
【００１６】
このような吸収性物品によれば、感謝の気持ちを示す表示を見た使用者は、ポジティブな印象を抱きやすくなり、使用者におむつの交換という行為に対するネガティブな印象を抱かせにくくすることができる。
【００１７】
かかる吸収性物品であって、前記感情表示は、ありがとうという文字を含むことが望ましい。
【００１８】
このような吸収性物品によれば、「ありがとう」の表示を見た使用者は、ポジティブな印象を抱きやすくなり、使用者におむつの交換という行為に対するネガティブな印象を抱かせにくくすることができる。
【００１９】
かかる吸収性物品であって、前記背側胴回り部の前記左右方向の側端部にそれぞれファスニングテープが設けられており、前記少なくとも１つの表示は、前記腹側胴回り部に設けられていることが望ましい。
【００２０】
このような吸収性物品によれば、腹側胴回り部は背側胴回り部よりも使用者は視認しやすく、且つ、使用者が着用者の顔を視認しやすい状態において、感情表示、触れ合い表示、又は、排尿表示の少なくとも１つを示すことで、使用者は、実際に着用者からそれを言われているように感じやすくなり、使用者に、おむつの交換という行為に対するネガティブな印象を抱かせにくくすることができる。
【００２１】
かかる吸収性物品であって、前記ファスニングテープの係止部を、前記腹側胴回り部に係止することによって、前記腹側胴回り部と前記背側胴回り部とが連結されて、胴回り開口部と、一対の脚回りが形成された着用状態において、前記少なくとも１つの表示は、前記ファスニングテープより下側に設けられていることが望ましい。
【００２２】
このような吸収性物品によれば、使用者は、着用状態から吸収性物品の交換する、ファスニングテープの係止を外す際及び着用状態の排尿の有無を確認する際においてに、 腹側胴回り部に設けられた感情表示、触れ合い表示、又は排尿表示を視認しやすくなり、使用者に、おむつの交換という行為に対するネガティブな印象を抱かせにくくすることができる。
【００２３】
かかる吸収性物品であって、水分と接触すると色が変化するインジケーター部を有し、前記少なくとも１つの表示は、前記インジケーター部の一部であることが望ましい。
【００２４】
このような吸収性物品によれば、インジケーターの色の変化を見た使用者に対して、おむつを交換していない状態にさせたことについて自責の念を抱かせる恐れを軽減し、おむつの交換という行為に対するネガティブな印象を抱かせにくくすることができる。
【００２５】
かかる吸収性物品であって、水分と接触すると色が変化するインジケーター部を有し、前記少なくとも１つの表示は、前記インジケーター部で囲まれた部分に設けられていることが望ましい。
【００２６】
このような吸収性物品によれば、吸収性物品を包装材から取り出した状態より、吸収性物品を交換するときの方が、感情表示、触れ合い表示、又は排尿表示を視認しやすくなるため、インジケーターの色の変化を見た使用者に対して、おむつを交換していない状態にさせたことについて自責の念を抱かせる恐れを軽減し、おむつの交換という行為に対するネガティブな印象を抱かせにくくすることができる。
【００２７】
かかる吸収性物品であって、非肌側から視認可能な図柄を有し、前記インジケーター部と前記図柄が、前記厚さ方向において重ならないことが望ましい。
【００２８】
このような吸収性物品によれば、インジケーター部にある感情表示、触れ合い表示、又は排尿表示を着用者が読みやすくなることで、おむつの交換という行為に対するネガティブな印象を抱かせにくくすることができる。
【００２９】
かかる吸収性物品であって、前記少なくとも１つの表示は、前記左右方向に沿って並んでいることが望ましい。
【００３０】
このような吸収性物品によれば、股下部から上方向に向かってインジケーター部の色の変化が生じるため、感情表示、触れ合い表示、又は排尿表示の文字を左右方向に沿って並べることで、色の変化を全体的に同じタイミングで生じさせやすくなり、使用者が感情表示、触れ合い表示、又は排尿表示の文字を読みやすくなる。
【００３１】
かかる吸収性物品であって、前記インジケーター部は、直線部を備え、前記直線部は、前記股下部から前記腹側胴回り部に向かって前記縦方向に沿っており、前記少なくとも１つの表示の前記左右方向の長さは、前記直線部の前記左右方向の長さより長いことが望ましい。
【００３２】
このような吸収性物品によれば、股下部から上方向に向かってインジケーター部の色の変化が生じるため、直線部の左右方向の長さより感情表示、触れ合い表示、又は排尿表示の左右方向の長さを長くすることで、色の変化を全体的に同じタイミングで生じさせやすくして、使用者が視認しやすくなる。
【００３３】
かかる吸収性物品であって、前記背側胴回り部の前記左右方向の側端部にそれぞれファスニングテープが設けられており、前記少なくとも１つの表示が、前記ファスニングテープに設けられており、前記包装材から取り出した状態において、前記少なくとも１つの表示が視認不能に設けられていることが望ましい。
【００３４】
このような吸収性物品によれば、使用者は、吸収性物品の交換する、ファスニングテープの係止を操作する際に、ファスニングテープに設けられた感情表示、触れ合い表示、又は排尿表示を視認しやすくなり、使用者に、おむつの交換という行為に対するネガティブな印象を抱かせにくくすることができる。
【００３５】
かかる吸収性物品であって、一対の前記ファスニングテープは、それぞれ異なる図柄又は文字を備えた前記少なくとも１つの表示を有している
ことが望ましい。
【００３６】
このような吸収性物品によれば、使用者は、異なる表示を見ることができるため、 使用者に対して、おむつの交換という行為に対するネガティブな印象をより抱かせにくくすることができる。
【００３７】
かかる吸収性物品であって、前記背側胴回り部の前記左右方向の側端部にそれぞれファスニングテープが設けられており、前記腹側胴回り部には、前記感情表示、前記触れ合い表示、又は前記排尿表示から選択された第１表示が設けられており、前記ファスニングテープには、前記感情表示、前記触れ合い表示、又は前記排尿表示のうち前記第１表示を除いて選択された第２表示が設けられていることが望ましい。
【００３８】
このような吸収性物品によれば、使用者は、異なる表示を見ることができるため、 使用者に対して、おむつの交換という行為に対するネガティブな印象をより抱かせにくくすることができる。
【００３９】
第１吸収性物品及び第２吸収性物品を有する吸収性物品群であって、前記第１吸収性物品及び前記第２吸収性物品は、上記に記載の吸収性物品であり、前記第１吸収性物品は、生後０〜２ヵ月の乳児が着用可能な大きさであり、前記第２吸収性物品は、生後３か月〜６ヶ月の乳児が着用可能な大きさであり、前記第１吸収性物品の前記少なくとも１つの表示は、前記触れ合い表示を含まず、前記第２吸収性物品の前記少なくとも１つの表示は、前記触れ合い表示を含むことを特徴とする吸収性物品群である。
【００４０】
このような吸収性物品群によれば、肌の触れ合いに対する反応を示しにくい生後０〜２ヵ月の乳児が着用する第１吸収性物品には、触れ合い表示ではなく、他の表示を行い、肌の触れ合いに対する反応（笑み）を示しやすい生後３か月〜６ヶ月の乳児が着用する第２吸収性物品には、触れ合い表示を表示することで、第１吸収性物品では、触れ合いを行った乳児からの反応がないことに対して使用者が感じる不安を軽減させ、且つ、第２吸収性物品では、実際の触れ合いによる喜びを使用者が感じやすくなり、着用者に応じた表示を視認した使用者が、おむつ交換という行為に対するネガティブな印象をより抱きにくくなる。
【００４１】
第１吸収性物品及び第２吸収性物品を有する吸収性物品群であって、前記第１吸収性物品及び前記第２吸収性物品は、上記の吸収性物品であり、前記第１吸収性物品は、生後０〜２ヵ月の乳児が着用可能な大きさであり、前記第２吸収性物品は、生後３か月〜６ヶ月の乳児が着用可能な大きさであり、前記第１吸収性物品及び第２吸収性物品は、それぞれ前記背側胴回り部の前記左右方向の側端部にそれぞれファスニングテープを有し、前記第１吸収性物品は、前記腹側胴回り部に前記排尿表示を備え、前記ファスニングテープに前記感情表示を備え、前記第２吸収性物品は、前記腹側胴回り部に前記排尿表示及び前記感情表示を備え、前記ファスニングテープに少なくとも前記触れ合い表示を備えることを特徴とする吸収性物品群である。
【００４２】
このような吸収性物品群によれば、肌の触れ合いに対する反応を示しにくい生後０〜２ヵ月の乳児が着用する第１吸収性物品には、触れ合い表示ではなく、他の表示を行い、肌の触れ合いに対する反応（笑み）を示しやすい生後３か月〜６ヶ月の乳児が着用する第２吸収性物品には、触れ合い表示を表示することで、第１吸収性物品では、触れ合いを行った乳児からの反応がないことに対して使用者が感じる不安を軽減させ、且つ、第２吸収性物品では、実際の触れ合いによる喜びを使用者が感じやすくなり、着用者に応じた表示を視認した使用者が、おむつ交換という行為に対するネガティブな印象をより抱きにくくなる。
【００４３】
＝＝＝使い捨ておむつ１の構成について＝＝＝
使い捨ておむつ１は、所謂テープ型（オープンタイプ）の展開型使い捨ておむつ（以下、単に「おむつ１」とも呼ぶ）である。おむつ１は、自らの感情を言葉で表すことが困難な乳児や介護を要する成人、又は犬や猫等のペットに適している。以下、生後３か月〜６ヶ月の乳児を「着用者」とし、着用者の世話をする保護者、具体的には母親や父親を「使用者」として説明する。
【００４４】
図１は、おむつ１の展開状態かつ伸長状態の肌側平面図である。図２は、おむつ１の展開かつ伸長させた状態の非肌側平面図である。おむつ１の展開状態とは、おむつ１全体を平面的に展開した状態をいう。おむつ１の伸長状態とは、おむつ１に生じていた皺が実質的に視認されなくなる程に伸長させた状態であり、おむつ１を構成する各部材（例えば後述するトップシート３等）の寸法がその部材単体の寸法と一致又はそれに近い長さになるまでおむつ１が伸長した状態である。図１及び図２は、おむつ１を包装材（不図示）から取り出して、展開し、且つ伸長させた状態である。
【００４５】
おむつ１は、図１等に示す展開且つ伸長状態において、互いに直交する縦方向、左右方向、及び厚さ方向を有し、長手方向の一方側から、腹側胴回り部１Ａ、股下部１Ｂ、背側胴回り部１Ｃとを並んで有する。なお、縦方向は、「長手方向」ともいう。厚さ方向とは、おむつ１を構成する各部材が積層された方向であり、着用者に接する側を「肌側」といい、その反対側を「非肌側」という。図１等に示すように、おむつ１は、左右対称な形状を有している。図１等において、中心線Ｃ−Ｃは、左右方向の中心であり、中心線ＣＬは、縦方向の中心である。
【００４６】
おむつ１において、腹側胴回り部１Ａは、着用者の腹側を覆う腹側部材であり、股下部１Ｂは、着用者の股下に配置される部材であり、背側胴回り部１Ｃは、着用者の背側を覆う背側部材である。股下部１Ｂは、後述の吸収体２の左右方向の長さが最も短い部分であり、股下部１Ｂの吸収体２の左右方向の長さより長い部分をそれぞれ腹側胴回り部１Ａ、背側胴回り部１Ｃという。
【００４７】
おむつ１は、尿等の排泄液を吸収する吸収体２と、吸収体２を肌側から覆う液透過性のトップシート３と、吸収体２を非肌側から覆う液不透過性の防漏シート４と、防漏シート４を非肌側から覆い、おむつ１の外形形状をなすバックシート５と、トップシート３上に幅方向に一対並んで設けられた一対のサイドシート６とを有している。
【００４８】
トップシート３としては、エアスルー不織布等を例示でき、防漏シート４としては、ポリエチレンフィルム等の樹脂フィルム等を例示でき、バックシート５としては、ＳＭＳ不織布（スパンボンド／メルトブローン／スパンボンド不織布）等の柔軟なシートを例示できる。
【００４９】
防漏シート４の肌側面にはインジケーターＬが設けられ、非肌側面には図柄Ｄが設けられている。インジケーターＬは、水分と接触すると色が変化する部分である。インジケーターＬとしては、尿等の水分と接触して呈色反応を示す指示薬（例えば、ＰＨ指示薬）を含むホットメルト接着剤で形成されている。インジケーターの呈色反応とは、白色や白色に類似する色から赤色や青色等の有彩色に変化する場合と、有彩色から有彩色に変化する場合とがある。おむつ１のインジケーターＬは、水分と接触すると、バックシート５の色である白色と近い、薄い黄色を帯びた淡黄色から、緑色に変化する。インジケーターＬについては後述する。図柄Ｄは、防漏シート４の非肌側面に周知の方法でインク等で印刷された所定のデザインを有する部分である。図柄Ｄは、赤色、青色、緑色等の任意の色で、任意の形状の図柄とすることができる。なお、図柄Ｄは、インジケーターＬと厚さ方向において重なっておらず、後述の表示Ｍ１とも厚さ方向において重なっていない。そのため、図柄ＤがインジケーターＬの表示を妨げる恐れを軽減させることができ、使用者がインジケーターＬ及び表示Ｍ１（後述）の呈色変化を視認しやすくなる。
【００５０】
吸収体２は、平面視において長手方向に長い長方形状を有し、吸収性コア２Ａと吸収性コア２Ａの外周面を被覆するコアラップシート２Ｂとを有する。吸収性コア２Ａは、液体吸収性素材を所定の形状に成形したものであり、平面視において略砂時計形状を有する。液体吸収性素材としては、パルプ繊維等の液体吸収性繊維に高吸収性ポリマー（所謂ＳＡＰ）が含有されたものを例示できる。コアラップシート２Ｂとしては、液透過性のティッシュや不織布等を例示できるが、吸収体２がコアラップシート２Ｂを有さない形態でもよい。
【００５１】
また、おむつ１は、幅方向の両側部に、サイドシート６とともに、長手方向に伸縮可能な弾性部材５１（例えば、糸ゴム）を備え、防漏壁としての一対の立体ギャザー５０を構成する。弾性部材５１は、長手方向に伸長状態で、サイドシート６に固定されている。立体ギャザー５０を設けることで、おむつ１の左右方向から排泄物が漏れる恐れを軽減させる。
【００５２】
さらに、着用者の脚回りに沿うように、おむつ１の左右方向の両側部であり、主に股下部１Ｂの位置に、長手方向に伸縮可能な一対の脚回り弾性部材７（例えば、糸ゴム）が設けられている。具体的には、図１に示すように、展開且つ伸長状態において、立体ギャザー５０用の弾性部材５１よりも左右方向の外側に、脚回り弾性部材７が設けられている。脚回り弾性部材７は、サイドシート６の非肌側面に長手方向に伸長状態で固定されている。よって、着用状態において、おむつ１の左右方向の各側部が着用者の脚回りにフィットし、排泄物の漏れが抑制される。
【００５３】
弾性部材５１や脚回り弾性部材７の数や形状、材質等は、図１等に示すものに限られない。例えば、それぞれ弾性部材５１、脚回り弾性部材７の数は任意に設定することができ、糸状のポリウレタン伸縮性繊維や、熱可塑性エラストマ樹脂を溶融してフィルム状とした伸縮性フィルムや伸縮繊維からなる伸縮性不織布としてもよい。
【００５４】
展開状態のおむつ１（図１及び図２）の外形形状は、略砂時計形状であり、腹側胴回り部１Ａ、及び背側胴回り部１Ｃは、それぞれ股下部１Ｂよりも左右方向の両外側に延出した一対のサイドフラップ２０、２０を有する。サイドフラップ２０、３０は、サイドシート６とバックシート５により形成されている。また、背側胴回り部１Ｃが有する一対のサイドフラップ３０の左右方向の外側の各端部には、ファスニングテープ４０が固定されている。
【００５５】
ファスニングテープ４０は、テープ基材４１と、フック材４２とを有する。テープ基材４１は、例えば不織布の部材であり、左右方向に長い略長方形状を成す。フック材４２（例えば、面ファスナーの雄部材）は、サイドフラップ３０から左右方向の外側に延出したテープ基材４１の部位の肌側面に設けられている。
【００５６】
おむつ１の着用状態とするために、つまり、着用者がおむつ１を装着した状態にするために、展開状態のおむつ１を着用者にあてがいつつ、長手方向の略中央（中心線ＣＬの辺り）で２つ折りし、背側胴回り部１Ｃ側の一対のサイドフラップ３０を左右方向の内側に折り返す。そして、ファスニングテープ４０に設けられたフック材４２を腹側胴回り部１Ａの非肌側面に係止する。おむつ１は、バックシート５を不織布にすることで、フック材４２をバックシート５に直接に係止可能としている。ただし、これに限らず、面ファスナーの雌部材等、フック材４２が係止することができる部材をバックシート５と別に設けてもよい。また、フック材４２の代わりに、例えば、粘着テープをファスニングテープ４０に設けても良い。
【００５７】
＝＝＝感情表示、触れ合い表示、排尿表示について＝＝＝
図３は、包装材から取り出した状態のおむつ１を腹側から見た図である。図４Ａは、着用者が新しいおむつ１を着用した直後の状態について説明する図である。図４Ｂは、着用者が使用後のおむつ１を着用した状態について説明する図である。図５は、感情表示、触れ合い表示及び排尿表示の例について説明する図である。なお、以下において、「おむつ１を交換するとき（おむつ１の交換のとき）」とは、包装材からおむつ１を取り出して、おむつ１の少なくとも一部の展開を始めた時点から、使用済みのおむつ１に替えて、新しいおむつ１を着用し終えた時点までをいう。
【００５８】
おむつ１は、表示Ｍ１、表示Ｍ２、及び表示Ｍ３を有しており、表示Ｍ１〜Ｍ３は、感情表示である。感情表示とは、使用者に対してポジティブな感情を引き起こす表示であり、文字列又は図柄で表すことができる。感情表示の例として、図５に示すように、「ありがとう」という文字列と同様に、「すき」という文字列（日本語の平仮名で２文字）、「きもちいい」という文字列（日本語の平仮名で５文字）、「しあわせ」という文字列（日本語の平仮名で４文字）や、笑顔の図柄を挙げることができる。
【００５９】
以下、表示Ｍ１〜Ｍ３が感情表示であるおむつ１について説明するが、おむつ１の表示Ｍ１〜Ｍ３が、感情表示に代えて、触れ合い表示又は排尿表示であってもよい。触れ合い表示とは、着用者（又は動物）に対する肌の触れ合いを使用者に促す表示であり、文字列、図柄で表すことができる。触れ合い表示の例としては、図５に示すように、「ちゅ」という文字列（日本語の平仮名で２文字）、「ぎゅ」という文字列（日本語の平仮名で２文字）、「すりすり」という文字列（日本語の平仮名で４文字）を挙げることができる。排尿表示は、着用者（又は動物）が排尿したという事実のみを伝える表示であり、文字列で表すことができる。排尿表示の例としては、図５に示すように、「おしっこでたよ」という文字列（日本語の平仮名で７文字）、「ぬれたよ」という文字列（日本語の平仮名で４文字）を挙げることができる。
【００６０】
図３に示すように、包装材（不図示）から取り出した状態のおむつ１は、展開状態で且つ自然状態のおむつ１のファスニングテープ４０のテープ基材４１を左右方向の内側に折り畳み、更にサイドフラップ２０、３０を左右方向の内側に折り畳み、中心線ＣＬで二つに折り畳んだ状態となっている。なお、図３では、腹側胴回り部１Ａによって直接的に視認することができない背側胴回り部１Ｃの形状を点線で示し、直接的に視認することができない腹側胴回り部１Ａのサイドフラップ２０等は、省略して示している。
【００６１】
図２等に示すように、おむつ１のインジケーターＬは、左右方向の中央部に中央インジケーターＬ１と、中央インジケーターＬ１の左右方向の両側に、一対のサイドインジケーターＬ２を有している。図２に示すおむつ１のインジケーターＬは、バックシート５の色と類似しているため、使用者は、各インジケーターＬ１、Ｌ２を視認しづらい、又はほとんど視認することができない。
【００６２】
中央インジケーターＬ１とサイドインジケーターＬ２とは、互いに離間している。中央インジケーターＬ１は、サイドインジケーターＬ２より長手方向の長さが長く、背側胴回り部１Ｃから腹側胴回り部１Ａに亘って連続した状態で設けられており、長手方向に沿った直線形状を有している。サイドインジケーターＬ２は、主に股下部１Ｂに設けられており、長手方向に沿った直線形状を有している。
【００６３】
表示Ｍ１は、インジケーターＬと同様に水分と接触すると色が変化する部分である。具体的には、表示Ｍ１は、インジケーターＬと同じ、尿等の水分と接触して呈色反応を示す指示薬を含むホットメルト接着剤で形成されており、水分と接触すると、バックシート５の色である白色と近い、薄い黄色を帯びた淡黄色から、緑色に変化する。表示Ｍ１には、楕円形状の領域の略全域にホットメルト接着剤が塗布されており、「ありがとう」という平仮名５文字の文字列が、ホットメルト接着剤が塗布されていない白抜き状態で設けられている。表示Ｍ１は、インジケーターＬの一部でもある。「ありがとう」の文字列は、文字を左右に並べた横書きで配置されている。
【００６４】
図４Ａに示す「着用者が新しいおむつ１を着用した直後の状態」とは、包装材から取り出したおむつ１を着用者に着用させた直後の状態であり、使用者がおむつ１を包装材から取り出した状態のインジケーターＬの状態とほぼ同じである。この状態において、おむつ１の内側は尿等の排泄部で濡れておらず、インジケーターＬは変色していない。使用者は、着用者に包装材から取り出した新しいおむつ１を着用させる際や、着用者が新しいおむつ１を着用した直後の状態を視認しても、インジケーターＬを認識しづらい。そのため、表示Ｍ１を視認しづらい。
【００６５】
図４Ｂに示す「着用者が使用後のおむつ１を着用した状態」とは、着用者がおむつを着用した状態で排泄をし、インジケーターＬの色が変化した状態をいう。図４Ｂに示すインジケーターＬの色が変化した状態とは、淡黄色のインジケーターＬの総面積の７割以上が緑色に変化した状態をいう。つまり、使用者は、おむつ１を包装材から取り出した状態より、おむつ１を交換するときの方が、表示Ｍ１〜Ｍ３を視認しやすい。着用者が使用後のおむつ１を着用した状態において、インジケーターＬを見た使用者は、着用者が排泄をしたことを知ることができるだけでなく、「ありがとう」と表示された表示Ｍ１を視認することができる。
【００６６】
一般的に、おむつ交換は、保護者等の使用者にとって、楽しい行為とは言えず、寧ろつまらない作業であったり、苦痛を感じる作業であったりする。また、生後０ヵ月から１歳６ヶ月の乳児、特に生後０ヵ月から６ヶ月までの乳児は、自分自身の感情を言葉で表現することができない。そのため、いくら着用者のためにおむつ交換を行っても、着用者から感謝をされたり、喜ばれたりしていることを感じることができず、使用者は、おむつ交換という行為に対して、憂鬱感や嫌悪感等の精神的な負担を感じてしまう場合があった。
【００６７】
この点、使用者が使用後のおむつ１を交換させようとする際に、「ありがとう」と表示された表示Ｍ１を視認することによって、使用者は、自分自身の感情や気持ちを表現することができない着用者が、使用者に対して「ありがとう」を伝えているように感じることができ、使用者はおむつ交換に対するネガティブな印象を抱きにくくなる。
【００６８】
つまり、使用者が感謝の気持ちを示す「ありがとう」の文字を備えた表示Ｍ１を視認することで、使用者は、着用者の感情や気持ちをおむつ１が代理して伝えているように感じられる。「ありがとう」の表示Ｍ１は、おむつ交換をしてくれる使用者へのポジティブな着用者の気持ちを可視化させた文字であり、着用者から使用者への報酬として捉えることができる表示である。このようなおむつ１の表示Ｍ１の働きを、「Ａｇｅｎｃｙとしての働き」ともいう。感謝の気持ちを表す「ありがとう」の文字は、一般に言われてうれしい言葉であり、使用者の気持ちをポジティブにさせやすい言葉である。これによって、使用者は、自らが行うおむつ交換という行為が無意味な作業ではなく、感謝されるに値する行為であることを認識しやすくなる。これによって、自らの行為を自らが認めて評価するという「自己効力感」を感じさせやすくすることができる。また、これまでネガティブだったおむつ交換に対する印象をポジティブに変えやすくなり、育児に対する負担を軽減させることができ、産後の鬱病等を軽減させやすくなる。
【００６９】
乳児のように、着用者が自身の感情を言葉で表現できない者や動物である場合には、着用者からの自己の行為に対する反応や感謝（所謂フィードバック）が少ないため、使用者は、「自己効力感」が低下しやすい傾向がある。「自身の感情を言葉で表現できない者や動物」とは、生後０ヵ月から１年６ヶ月の乳児や、介護を必要とする状態の成人、又は動物である。介護を必要とする状態の成人は、意識がない状態等、自分の意思を発信することが難しい状態の成人である。動物は、犬や猫等のペットである。この点、おむつ１のように、おむつ１が着用者の感情や気持ちを代理して伝えるような表示Ｍ１を備えることで、使用者に自己効力感を感じさせやすくなる。その結果、使用者の感じるおむつ交換に対する印象をよりポジティブなものにさせやすくなる。なお、使用者とは、保護者だけでなく、介護者や飼い主など、おむつ１を着用する者又は動物の世話をする人をいう。
【００７０】
また、おむつ１においては、表示Ｍ１には感情表示の「ありがとう」を示したが、これに代えて触れ合い表示を示した場合には、使用者と着用者との肌の触れ合い、所謂スキンシップを働きかけやすくなる。一般におむつ交換は、慌ただしい作業であるため、焦る気持ちを抱えた使用者はつい作業に没頭してしまい、おむつ交換に伴う肌の触れ合い等の着用者への働きかけが減少してしまう傾向がある。保護者等から低月齢の乳児へのスキンシップや声かけは、アタッチメント形成や人格形成において非常に重量な役割を果たすことが知られている。そのため、おむつ交換のときに、おむつ１に設けられた触れ合い表示を視認した使用者は、着用者との肌の触れ合いをする機会であることを認識しやすくなり、着用者との肌の触れ合いを行うきっかけとなる。つまり、おむつ交換がスキンシップの機会となることで、おむつ交換に対してよりポジティブな印象を抱きやすくなる。
【００７１】
さらに、表示Ｍ１に示す表示が、排尿表示であってもよい。排尿表示は、着用者が排尿をしたことの事実のみ、又は排尿したことによる現在の着用者の身体の状態の事実のみを文字で表示している。つまり、事実のみを表示する一方、おむつの交換を要求する表示を行わない。例えば、仮に「おしっこでたよ。おむつをかえてね。」という表示を設けた場合、これを視認した使用者は、おむつ交換を強制されていると感じる恐れがあり、おむつ交換が義務であり、憂鬱なものであるというネガティブな印象を感じてしまう恐れがある。この点、おむつ１の排尿表示においては、着用者が排尿をしたことの事実のみ、又は排尿したことによる現在の着用者の身体の状態の事実のみを表示することで、着用者が排尿をしたことを知ることができる一方、強制ではなく、自らの意思でおむつ交換を行う気持ちになりやすくさせるため、おむつ交換に対するネガティブな印象を抱きにくくすることができる。また、自らの状態を言葉で表現することができない乳児等の着用者の排尿の状態が文字で可視化されるため、使用者は、着用者が自らの状態を伝えてくれているものと感じやすくなる。使用者は、着用者との意思の疎通ができているものと感じやすくなり、使用者が行うおむつ交換という行為についての自己効力感を感じさせやすくなる。
【００７２】
なお、排尿表示のみに限らず感情表示及び触れ合い表示が文字列であることが好ましい。自己効力感が低下しやすいおむつ交換において、ネガティブな感情を生じさせやすい状態で、「文字」として感情表示、触れ合い表示、又は排尿表示を読んだ使用者は、読むという行為によって前頭前野が活性化され、感情をコントロールしやすくなる。これによって、使用者はおむつ交換という行為に対するネガティブな印象を抱かせにくくすることができる。詳細に説明すると、乳児等の着用者はおむつ交換中に泣いていることが多いため、泣き声を聞いた使用者にはＭｉｒｒｏｒＮｅｕｒｏｎシステムが発現し、ネガティブな感情が生まれやすくなる。「ＭｉｒｒｏｒＮｅｕｒｏｎシステム」とは、他人の行為を自身の行為に置き換える鏡のような作用をいう。使用者が、文字で表示された感情表示、触れ合い表示、又は排尿表示の単語を読むことで、使用者の前頭前野や側頭頭頂接合部などを含む一連の領域である「Ｍｅｎｔａｌｉｚｉｎｇ  Ｎｅｔｗｏｒｋ」が活性化される。「Ｍｅｎｔａｌｉｚｉｎｇ」とは、自分の感情をコントロールすることである。このＭｅｎｔａｌｉｚｉｎｇ  Ｎｅｔｗｏｒｋは、Ｍｅｎｔａｌｉｚｉｎｇが発現する部位に関わる箇所であるため、ＭｉｒｒｏｒＮｅｕｒｏｎ活動を抑制しやすくなる。
【００７３】
また、表示Ｍ１に、インジケーターＬと同じホットメルト接着剤が塗布されており、インジケーターＬの色が変化するとともに、表示Ｍ１の「ありがとう」の周囲の色が変化し、白抜きにされた「ありがとう」の文字がはっきりと視認できるようになる。インジケーターＬの色が変化したことを視認した使用者は、おむつ交換をしていない状態にさせてしまったことや、おむつ交換をしなければいけない状態であることに対して自責の念を感じやすくなるところ、インジケーターＬの色の変化とともに、表示Ｍ１の「ありがとう」の文字を視認することができるため、おむつ交換に対するネガティブな印象を抱かせにくくし、おむつ交換という行為に対する自己効力感を感じさせやすくなる。
【００７４】
表示Ｍ１の「ありがとう」は、文字を左右方向にそって並べることが好ましく、より好ましくは、表示Ｍ１の左右方向の長さが中央インジケーターＬ１の左右方向の長さより長いことが好ましい。着用状態において、水分と接触したインジケーターＬは、股下部１Ｂから上方向に向かって色が変化しやすい。そのため、文字を左右方向にそって並べ、表示Ｍ１の左右方向の長さが中央インジケーターＬ１の左右方向の長さより長くすることで、表示Ｍ１の色の変化を同じタイミングで生じさせやすくなり、使用者が「ありがとう」の文字を認識しやすくなる。
【００７５】
また、図２等に示すように、表示Ｍ１が腹側胴回り部１Ａに設けられていることが好ましい。着用状態において、腹側胴回り部は背側胴回り部よりも使用者は視認しやすい。また、使用者が着用者の顔を視認しやすい状態において、表示Ｍ１を視認した使用者は、実際に着用者からそれを言われているように感じやすくなり、使用者に、おむつの交換という行為に対するネガティブな印象を抱かせにくくすることができる。
【００７６】
さらに、図４Ａ及び図４Ｂに示すように、着用状態のおむつ１において、表示Ｍ１を腹側胴回り部１Ａのファスニングテープ４０より下側に設けていることがより好ましい。着用状態において、ファスニングテープ４０のフック材４２が腹側胴回り部１Ａに係止されており、おむつ交換のときには、まずファスニングテープ４０のフック材４２の係止を外す。そのため、おむつ交換のファスニングテープ４０の係止を外す際や着用状態における着用者の排尿の有無を確認する際において、使用者は、腹側胴回り部１Ａのうちファスニングテープ４０より下側に設けた表示Ｍ１を視認する機会が多くなる。表示Ｍ１を視認した使用者は、自己効力感を感じさせやすくなり、おむつ交換に対するネガティブな印象を抱かせにくくなる。
【００７７】
図１に示すように、おむつ１は、左右方向の両側のファスニングテープ４０にそれぞれ表示Ｍ２と表示Ｍ３を有している。具体的には、左右方向の一方側（図１における右側）には、「きもちいい」の文字が表示されており、他方側（図１における左側）には、笑顔の図柄が表示されている。表示Ｍ１及び表示Ｍ２は、フック材４２が設けられている領域にインク等を用いて印刷されており、図１及び図２に示すように、表示Ｍ１及び表示Ｍ２は、展開状態且つ伸長状態において、肌側から見た際には視認可能であるが、非肌側から見た際には、視認不能である。表示Ｍ２及びＭ３は、それぞれ感情表示である。
【００７８】
図３に示すように、包装材から取り出した状態のおむつ１は、ファスニングテープ４０が左右方向の内側に折り畳まれた状態でサイドフラップ２０、３０が左右方向の内側に折り畳まれ、さらに、腹側胴回り部１Ａと背側胴回り部１Ｃとで挟まれているため、使用者は、表示部Ｍ２及び表示Ｍ３を視認することはできない。
【００７９】
使用者がおむつ交換を行う際には、まず、おむつ１の縦方向の二つ折りを展開し、続いて、サイドフラップ２０、３０をそれぞれ左右方向に展開する。そして、ファスニングテープ４０を左右方向に展開したときに、使用者は、表示Ｍ１及び表示Ｍ２を視認することができる。つまり、新しいおむつ１を着用者に着用させるためのおむつ交換のときに、使用者は、表示Ｍ１及び表示Ｍ２を視認することができる。
【００８０】
また、図４Ｂに示すように、インジケーターＬの色が変色し、使用後のおむつ１を着用者から取り外す際、使用者は、まずファスニングテープ４０の係止を外す。このとき、外したファスニングテープ４０のフック材４２の領域に設けられた表示Ｍ２及び表示Ｍ３を視認することができる。つまり、使用後のおむつ１を着用者から取り除くおむつ交換の時に、使用者は、表示Ｍ１及び表示Ｍ２を視認することができる。
【００８１】
表示Ｍ２及び表示Ｍ３についても、表示Ｍ１と同様に使用者に対してポジティブな感情を引き起こす表示であり、使用者に自己効力感を感じさせ、おむつ交換に対する印象をポジティブに変えやすくなる。
【００８２】
さらに、図１に示すように、表示Ｍ２と表示Ｍ３とが異なる図柄又は文字を備えるものであることが好ましい。使用者は、異なる図柄を見ることができる。例えば、おむつ１のように、表示Ｍ２に「きもちいい」の文字列を表示し、表示Ｍ３に笑顔の図柄を表示することで、使用者は、着用者が笑顔で「きもちいい」と言っているかのように感じやすくなり、自己効力感を感じやすくなる。これによって、おむつ交換に対する印象をよりポジティブなものに変えやすくなる。
【００８３】
なお、おむつ１においては、表示Ｍ１、表示Ｍ２、及び表示Ｍ３がいずれにも感情表示を設けたが、これに限られない。表示Ｍ１、表示Ｍ２、及び表示Ｍ３には、それぞれ感情表示、触れ合い表示、及び排尿表示から任意で選択して表示してもよい。
【００８４】
腹側胴回り部１Ａに設けた表示Ｍ１には、感情表示、触れ合い表示、又は排尿表示から選択された１つの表示（第１表示）を設け、ファスニングテープ４０に設けた表示Ｍ２又は表示Ｍ３には、表示Ｍ１で選択した１つの表示（第１表示）を除いて選択された表示（第２表示）であってもよい。例えば、表示Ｍ１を感情表示（第１表示）とし、表示Ｍ２及び表示Ｍ３とが触れ合い表示（第２表示）であってもよく、表示Ｍ１を排尿表示（第１表示）、表示Ｍ２を感情表示（第２表示）、表示Ｍ３を触れ合い表示（第２表示）としてもよい。具体的には、図５に示す例より、表示Ｍ１を排尿表示の「おしっこでたよ」とし、表示Ｍ２を感情表示の「しあわせ」、表示Ｍ３を触れ合い表示の「ちゅ」としてもよい。このような場合には、使用者は、自己効力感を感じさせる表示、スキンシップを促す機会を示す表示、及び排尿に関する事実の表示について、複数の表示を視認することができるため、おむつ交換に対する印象をよりポジティブなものに変えやすくなる。
【００８５】
さらに、乳児の月齢に応じた表示を有する第１おむつ（第１吸収性物品）と第２おむつ（第２吸収性物品）を有するおむつ群とすることが好ましい。第１おむつは、生後０〜２ヵ月の乳児が着用可能な大きさであり、例えば、日本においては新生児サイズのおむつである。第１おむつには、表示Ｍ１〜表示Ｍ３には触れ合い表示を表示しない。つまり、第１おむつは、感情表示又は排尿表示を示した表示Ｍ１〜Ｍ３を備える。一方、第２おむつは、生後３〜６ヶ月の乳児が着用可能な大きさであり、例えば、日本においてはＳサイズのおむつである。第２おむつには、表示Ｍ１〜表示Ｍ３の少なくともいずれか１には、触れ合い表示を表示する。なお、第１おむつを複数個ずつ包装材に収容した包装状態とし、第２おむつを複数個ずつ包装材に収容した包装状態としたおむつ群（吸収性物品群）とすることがより好ましい。
【００８６】
一般的に、生後０〜２ヵ月の乳児は、肌の触れ合いに対する反応を示しにくい。そのため、第１おむつに触れ合い表示を設けないことで、使用者に、触れ合いを行った乳児からの反応がないことに対する不安が生じる恐れを軽減させることができる。一方、生後３〜６ヶ月の乳児は、肌の触れ合いに対する反応（笑み）を示しやすい。そのため、第２おむつには、触れ合い表示を表示して、着用者との肌の触れ合いを促し、実際の触れ合いによる喜びを使用者に感じさせやすくすることができる。このように、着用者の成長に応じた表示を見た使用者は、おむつ交換という行為に対するネガティブな印象をより抱きにくくなる。
【００８７】
これに加え、表示Ｍ１に排尿表示を設け、表示Ｍ２及び表示Ｍ３に感情表示を設けた第１おむつと、表示Ｍ１に排尿表示及び感情表示を設け、表示Ｍ２及び表示Ｍ３には、少なくとも触れ合い表示を１つ以上設けた第２おむつとを有するおむつ群であることがより好ましい。
【００８８】
例えば、生後０〜２ヵ月の乳児が着用する第１おむつの腹側胴回り部１Ａに表示Ｍ１として「ぬれたよ」などの排尿に関する状態を表示して、文字として可視化させることで、使用者が着用者の状態の変化をイメージしやすくなり、使用者に着用者の感情があるということを認知させやすくなる。また、ファスニングテープ４０に、表示Ｍ２及び表示Ｍ３として、「ありがとう」などの感情表示を表示することで、着用者から感謝されているように感じやすくなる。このとき、第１おむつには、触れ合い表示を設けないことで、使用者に、触れ合いを行った乳児からの反応がないことに対する不安が生じる恐れを軽減させることができる。
【００８９】
一方、生後３〜６ヶ月の乳児が着用する第２おむつの腹側胴回り部１Ａに表示Ｍ１として「ぬれたよ。ありがとう。」という、排尿表示に加え、感情表示を設けることで、文字の増加によって着用者の成長を実感しやすくなり、着用者からより多くの情報を使用者に伝えようとしていると感じられて、着用者はよりポジティブな感情を抱きやすくなる。また、ファスニングテープ４０に、表示Ｍ２及び表示Ｍ３として触れ合い表示を設けることで、使用者が着用者と肌の触れ合いを行うきっかけとなる。実際に肌の触れ合いを行うことで、おむつ交換に対してポジティブな印象を抱きやすくなる。
【００９０】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００９１】
上述の実施形態では、おむつ１が３つの表示Ｍ１、Ｍ２、Ｍ３を備えた構成について説明したが、必ずしも３つの表示を備える必要はない。おむつ１が備える表示の数は、任意で変更可能である。おむつ１が、感情表示、触れ合い表示、排尿表示のいずれか１つを、少なくとも１つ備え、おむつ１を包装材から取り出した状態より、おむつ１を交換するときの方が、使用者がいずれか１つを視認しやすいものであればよい。
【００９２】
上述の実施形態では、表示Ｍ１を、楕円形状の領域の略全域にホットメルト接着剤を塗布し、「ありがとう」という平仮名の文字列を、ホットメルト接着剤が塗布されていない白抜き状態で設けたが、これに限られない。例えば、表示Ｍ１をインジケーターＬの一部とし、「ありがとう」という平仮名の文字列をホットメルト接着剤で示したものであってもよい。つまり、上述のように、水分に接触することによって、淡黄色から緑色に変色する呈色反応性を有するホットメルト接着剤で形成された表示Ｍ１の「ありがとう」の文字が淡黄色から緑色に変色する。これを視認した使用者は、自己効力感を感じやすくなる。これによって、おむつ交換をしていない状態にさせたことについての自責の念を抱かせたり、おむつ交換をしなければならないという義務感を感じてしまう恐れを軽減させやすくなる。
【００９３】
また、上述の実施形態においては、インジケーターＬと表示Ｍ１の呈色反応をいずれも淡黄色から緑色に変色するものとしたが、これに限られない。表示Ｍ１が呈色反応を有する者の、インジケーターＬと異なる色に変色するものであってもよい。
【００９４】
上述の実施形態では、所謂展開型使い捨ておむつについて説明したが、これに限られない。例えば、所謂パンツ型吸収性物品や、展開型使い捨ておむつ等と一緒に用いるパッド等であってもよい。
【符号の説明】
【００９５】
１  おむつ（展開型使い捨ておむつ、テープ型使い捨ておむつ、使い捨ておむつ）、１Ａ  腹側胴回り部、１Ｂ  股下部、１Ｃ  背側胴回り部、２  吸収体、３  トップシート、４  防漏シート、５  バックシート、６  サイドシート、７  脚回り弾性部材、２０  サイドフラップ、３０  サイドフラップ、４０  ファスニングテープ、４１  テープ基材、４２  フック材、５０  立体ギャザー、５１  弾性部材、Ｄ  図柄、Ｌ１  中央インジケーター、Ｌ２  サイドインジケーター、Ｍ１  表示、Ｍ２  表示、Ｍ３  表示
【図１】
2019141568.tif 000003
【図２】
2019141568.tif 000004
【図３】
2019141568.tif 000005
【図４】
2019141568.tif 000006
【図５】
2019141568.tif 000007